(57)【要約】【課題】自分で撮影した画像に対してイメージ通りの音楽を無理なく簡単に背景音楽として選択することができ、自分の撮影した画像を鑑賞に適した作品にすることが簡単にできる情報記録再生装置及び情報記録再生システムを提供することである。【解決手段】情報記録再生装置１０は、被写体を撮影する撮像部２４を有しており、この撮像部２４で撮影した画像情報を第１メモリ１３に記録可能である。この第１メモリ１３には、音楽情報と該音楽情報に関連付けされた画像情報とが予め記録されている。そして、第１メモリ１３がスロット部１３ａに装着された際には、上記撮像部２４で撮像した画像について、第１メモリ１３に予め記録されている画像と合成されるか、入れ替えられる編集が可能となる。【選択図】      図１
2006129269.tif 000002
【特許請求の範囲】
【請求項１】
撮像手段を含み、該撮像手段で撮像した画像情報を記録メディアに記録可能な情報記録再生装置に於いて、
音楽情報と該音楽情報に関連付けされた画像情報とが予め記録されている記録メディアが装着された際には、上記撮像手段で撮像した画像を上記記録メディアに予め記録されている画像に対して合成、若しくは置き換え可能であることを特徴とする情報記録再生装置。
【請求項２】
上記撮像手段による撮像時に、上記記録メディアに予め記録されている音楽情報を再生可能であることを特徴とする請求項１に記載の情報記録再生装置。
【請求項３】
複数の音楽情報と、該複数の音楽情報のそれぞれに添付された複数の画像情報とが記録されている記録メディアを装着可能であって、上記複数の画像のそれぞれに対して他の画像を合成する、若しくは上記複数の画像のそれぞれを他の画像に置き換えることが可能なことを特徴とする情報記録再生装置。
【請求項４】
上記音楽情報を再生するための再生手段と、
上記再生手段で上記音楽情報を再生する際の再生時間、及びその音楽情報に添付された画像情報の数とによって上記再生手段で再生する音楽情報の候補を検索可能な検索手段と、
を更に具備することを特徴とする請求項３に記載の情報記録再生装置。
【請求項５】
被写体を撮像する撮像手段と、
予め記録された複数の音楽情報と該音楽情報に関連付けられた複数の画像情報、及び上記撮像手段で撮像された画像を記録する記録手段と、
上記撮像手段で撮像した画像を上記記録手段に予め記録されている画像に対して編集する編集手段と、
を具備することを特徴とする情報記録再生装置。
【請求項６】
上記編集手段は、上記撮像手段で撮像した画像を上記記録手段に予め記録されている画像に対して合成することを特徴とする請求項５に記載の情報記録再生装置。
【請求項７】
上記編集手段は、上記撮像手段で撮像した画像を上記記録手段に予め記録されている画像に対して置き換えることを特徴とする請求項５に記載の情報記録再生装置。
【請求項８】
上記記録手段は、着脱自在の記録メディアで構成されることを特徴とする請求項５に記載の情報記録再生装置。
【請求項９】
上記音楽情報を再生するための再生手段と、
上記再生手段で上記音楽情報を再生する際の再生時間、及びその音楽情報に添付された画像情報の数とによって上記再生手段で再生する音楽情報の候補を検索する検索手段と、
を更に具備することを特徴とする請求項５に記載の情報記録再生装置。
【請求項１０】
予め記録された複数の音楽情報と該音楽情報に関連付けられた複数の画像情報が記録された記録メディアと、
上記記録メディアを装着可能であって、被写体を撮像する撮像手段と、上記撮像手段で撮像した画像を上記記録メディアに予め記録されている画像に対して編集する編集手段と、を有する記録再生装置と、
を具備することを特徴とする情報記録再生システム。
【請求項１１】
上記編集手段は、上記撮像手段で撮像した画像を上記記録メディアに予め記録されている画像に対して合成することを特徴とする請求項１０に記載の情報記録再生システム。
【請求項１２】
上記編集手段は、上記撮像手段で撮像した画像を上記記録メディアに予め記録されている画像に対して置き換えることを特徴とする請求項１０に記載の情報記録再生システム。
【請求項１３】
上記記録再生装置は、上記音楽情報を再生するための再生手段と、上記再生手段で上記音楽情報を再生する際の再生時間、及びその音楽情報に添付された画像情報の数とによって上記再生手段で再生する音楽情報の候補を検索する検索手段と、を更に具備することを特徴とする請求項１０に記載の情報記録再生システム。
【請求項１４】
音楽情報の再生と共に複数の画像を切り替えながら表示する情報記録再生装置に於いて、
該情報記録再生装置は、ユーザの操作によって上記音楽情報と表示画像との関連付けを変更可能であり、この操作を行う際には上記複数の画像をサムネイル表示すると共に、関連付けの対象となる画像を強調表示するようにしたことを特徴とする情報記録再生装置。
【発明の詳細な説明】
【技術分野】
【０００１】
本発明は、デジタル的に記録された画像を有効に楽しむための情報記録再生装置及び情報記録再生システムに関し、より詳細には、プリントした用紙ではなく、電子的なモニタ等により出力される画像を鑑賞するための、いわゆる電子アルバムシステムの改良に関するものである。
【背景技術】
【０００２】
近年、記録された画像を、プリントした用紙ではなく、電子的なモニタ等によって鑑賞するための、いわゆる電子アルバムシステムが開発されている。こうした提案は盛んになされており、例えばインターネットによって受信した素材データを組み合わせてアルバムを作る技術（例えば、特許文献１参照）や、旅行記用ディスクに、予め旅行用素材を入れておく技術が知られている（例えば、特許文献２参照）。
【特許文献１】特開２００１−１６７１１５号公報
【特許文献２】特開２００３−１２５２４６号公報
【発明の開示】
【発明が解決しようとする課題】
【０００３】
しかしながら、上述した特許文献１の技術では、わざわざインターネットと機器を接続しなければならず、設定が煩わしく手間のかかるものであった。
【０００４】
一方、上記特許文献２に記載の技術では、同じように、素材データを編集する必要があるが、自分のイメージ通りの素材を探して選択するのは困難なものであった。
【０００５】
また、撮影画像を自分のイメージの音楽と関連付けて、音楽を聴きながら画像を鑑賞するユーザも多い。しかしながら、上記特許文献１及び２に記載のものは、アルバムに収録される画像の変化のタイミングを音楽の流れと一致させるのは困難なものであった。
【０００６】
本発明は以上の点に鑑みてなされたものであり、自分で撮影した画像に対してイメージ通りの音楽を無理なく簡単に背景音楽として選択することができ、自分の撮影した画像を鑑賞に適した作品にすることが簡単にできる情報記録再生装置及び情報記録再生システムを提供することを目的とする。
【課題を解決するための手段】
【０００７】
すなわち、請求項１に記載の発明は、撮像手段を含み、該撮像手段で撮像した画像情報を記録メディアに記録可能な情報記録再生装置に於いて、音楽情報と該音楽情報に関連付けされた画像情報とが予め記録されている記録メディアが装着された際には、上記撮像手段で撮像した画像を上記記録メディアに予め記録されている画像に対して合成、若しくは置き換え可能であることを特徴とする。
【０００８】
請求項２に記載の発明は、請求項１に記載の発明に於いて、上記撮像手段による撮像時に、上記記録メディアに予め記録されている音楽情報を再生可能であることを特徴とする。
【０００９】
請求項３に記載の発明は、複数の音楽情報と、該複数の音楽情報のそれぞれに添付された複数の画像情報とが記録されている記録メディアを装着可能であって、上記複数の画像のそれぞれに対して他の画像を合成する、若しくは上記複数の画像のそれぞれを他の画像に置き換えることが可能なことを特徴とする。
【００１０】
請求項４に記載の発明は、請求項３に記載の発明に於いて、上記音楽情報を再生するための再生手段と、上記再生手段で上記音楽情報を再生する際の再生時間、及びその音楽情報に添付された画像情報の数とによって上記再生手段で再生する音楽情報の候補を検索可能な検索手段と、を更に具備することを特徴とする。
【００１１】
請求項５に記載の発明は、被写体を撮像する撮像手段と、予め記録された複数の音楽情報と該音楽情報に関連付けられた複数の画像情報、及び上記撮像手段で撮像された画像を記録する記録手段と、上記撮像手段で撮像した画像を上記記録手段に予め記録されている画像に対して編集する編集手段と、を具備することを特徴とする。
【００１２】
請求項６に記載の発明は、請求項５に記載の発明に於いて、上記編集手段は、上記撮像手段で撮像した画像を上記記録手段に予め記録されている画像に対して合成することを特徴とする。
【００１３】
請求項７に記載の発明は、請求項５に記載の発明に於いて、上記編集手段は、上記撮像手段で撮像した画像を上記記録手段に予め記録されている画像に対して置き換えることを特徴とする。
【００１４】
請求項８に記載の発明は、請求項５に記載の発明に於いて、上記記録手段は、着脱自在の記録メディアで構成されることを特徴とする。
【００１５】
請求項９に記載の発明は、請求項５に記載の発明に於いて、上記音楽情報を再生するための再生手段と、上記再生手段で上記音楽情報を再生する際の再生時間、及びその音楽情報に添付された画像情報の数とによって上記再生手段で再生する音楽情報の候補を検索する検索手段と、を更に具備することを特徴とする。
【００１６】
請求項１０に記載の発明は、予め記録された複数の音楽情報と該音楽情報に関連付けられた複数の画像情報が記録された記録メディアと、上記記録メディアを装着可能であって、被写体を撮像する撮像手段と、上記撮像手段で撮像した画像を上記記録メディアに予め記録されている画像に対して編集する編集手段と、を有する記録再生装置と、を具備することを特徴とする。
【００１７】
請求項１１に記載の発明は、請求項１０には発明に於いて、上記編集手段は、上記撮像手段で撮像した画像を上記記録メディアに予め記録されている画像に対して合成することを特徴とする。
【００１８】
請求項１２に記載の発明は、請求項１０に記載の発明に於いて、上記編集手段は、上記撮像手段で撮像した画像を上記記録メディアに予め記録されている画像に対して置き換えることを特徴とする。
【００１９】
請求項１３に記載の発明は、請求項１０に記載の発明に於いて、上記記録再生装置は、上記音楽情報を再生するための再生手段と、上記再生手段で上記音楽情報を再生する際の再生時間、及びその音楽情報に添付された画像情報の数とによって上記再生手段で再生する音楽情報の候補を検索する検索手段と、を更に具備することを特徴とする。
【００２０】
請求項１４に記載の発明は、音楽情報の再生と共に複数の画像を切り替えながら表示する情報記録再生装置に於いて、該情報記録再生装置は、ユーザの操作によって上記音楽情報と表示画像との関連付けを変更可能であり、この操作を行う際には上記複数の画像をサムネイル表示すると共に、関連付けの対象となる画像を強調表示するようにしたことを特徴とする。
【００２１】
本発明によれば、ｉ）自分のイメージの音楽をポータブルプレーヤ等で聴きながら実際のシーンに音楽を合わせながら思い出を刻み、ii）その音楽を楽しみつつ、撮影を楽しむことができ、iii)予め音楽と合わせてある画像のサンプルを見ながら、それを適宜、自作の写真に入れ替えるだけでアルバム作成が可能となる。
【発明の効果】
【００２２】
本発明によれば、音楽と画像の変化が無理なく一致し、自分のイメージ通りの背景音楽を簡単につけることができ、鑑賞にふさわしい電子アルバム作りを手間をかけずに作ることができる情報記録再生装置及び情報記録再生システムを提供することができる。
【発明を実施するための最良の形態】
【００２３】
以下、図面を参照して本発明の実施形態について説明する。
【００２４】
図１（ａ）は、本発明の一実施形態に係る情報記録再生装置の電気系の概略構成を示すブロック図である。
【００２５】
図１（ａ）に於いて、情報記録再生装置１０は、マイクロコントローラ（ＣＰＵ）１５により各部の処理動作が制御される。このＣＰＵ１５には操作スイッチ２６が接続されると共に、図１（ｂ）に示されるような情報が記録された記録手段としての第１メモリ１３からスロット部１３ａを介してデータを読み取る読み出し部１６が接続されている。
【００２６】
更に、ＣＰＵ１５には、画像再生部１７と、第２のメモリ１８と、音楽伸長部２０と、撮像部２４とが接続されている。
【００２７】
上記画像再生部１７は、読み出し部１６で上記第１メモリ１３から読み取られた画像データに対応した画像を再生するものである。この再生された画像は、モニタ部１１に表示される。第２のメモリ１８は、撮像手段である撮像部２４で撮影された画像に対応するデータが、圧縮部２５で圧縮された後、記憶されるものである。
【００２８】
更に、音楽伸長部２０は、読み出し部１６で上記第１メモリ１３から読み取られた音楽データを伸長する。ここで伸長されたデータに対応する音楽が、再生手段である音楽再生部２１で再生されて、スピーカ２２から出力される。
【００２９】
このような構成の情報記録再生装置１０に於いて、第１のメモリ１３がスロット部１３ａに差し込まれると、該第１メモリ１３内の画像データ及び音楽データが情報記録再生装置１０内に取り込まれる。
【００３０】
第１メモリ１３には、図１（ｂ）に示されるように、複数の画像のデータとこれらの画像データに対応した音楽データが、予め記録されている。この第１メモリ１３がスロット部１３ａに差し込まれることにより、該第１メモリ内に記録されている画像データや音楽データが、読み出し部１６を介して読み出される。
【００３１】
そして、この読出されたデータのうち、画像データは画像再生部１７にて対応する画像として再生され、モニタ部１１にて表示される。一方、読み出し部１６で読み出された音楽データは、音楽伸長部２０にて伸長された後、音楽再生部２１からスピーカ２２を介して音楽として再生される。
【００３２】
また、ＣＰＵ１５は検索手段としても機能するもので、第１メモリ１３に記録されている音楽情報の候補が読み出されるようになっている。ＣＵＰ１５では、更にユーザによる操作スイッチ１５の操作が判定され、上述したように、装置内の各機能が所定のプログラムに従って制御される。そして、撮影時には、撮像部２４が制御されて、図示されないレンズを介してイメージセンサ（図示せず）で光電変換された被写体像がデジタル信号に変換される。この変換された被写体像の信号は、圧縮部２５で圧縮されて第２のメモリ１８に圧縮されたデータとして記憶される。
【００３３】
尚、こうした撮影は、音声再生時にも実行可能である。
【００３４】
次に、図２を参照して、本発明の一実施形態に係る情報記録再生装置を利用して、電子アルバム作りを前提とした撮影の手順について説明する。
【００３５】
図２（ａ）は、ユーザ１が電子アルバム用のデータの入ったメモリ２を店頭で選んでいる様子を示している。このメモリ２は、最終的にアルバムが作成されるメモリであるから、撮影する枚数によって容量を最適の容量のものを選んだり、音楽の種別やアルバムのテーマによって、幾つかの種類の中から好みのものを選ぶことができる。また、各メモリには、音楽に附随して曲の進行につれて変化する、画像サンプルが予め記録されている。
【００３６】
例えば、メモリ２を再生すると、図１（ａ）に示されるように、時間が経過するにつれて音楽の曲想が変化すると、画像が適当なタイミングで切り替わるようになっている。これは、一般的な方法では、非常に編集困難な部分であり、曲の調子が変化していないのに、めまぐるしく画像が変化したり、曲の変化する所で、だらだらと同じような画像が再生されて、めりはりに欠ける作品になってしまう等、画像と音楽とを合わせる箇所は、素人や初心者には極めて困難なプロセスを要していた。
【００３７】
しかし、本発明に於いては、予め画像と音楽の適切な合わせ込みが専門家によって行われているので、ユーザは画像を自由に変えていくだけで、簡単な操作で完成度の高いバックグラウンドミュージック（ＢＧＭ；背景音楽）付きの電子アルバムを作成することができる。
【００３８】
また、図２（ｂ）に示されるように、ユーザ１は、上述したメモリを装置１０に装填してデータをディスプレイ１１で確認することができる。メモリ２に記録されているデータは、曲の長さや、切り替わる画面数によって、複数の曲が記録されている。したがって、ユーザ１は、適当なものをディスプレイ１１を見ながら選択して、撮影に先立って最も適当なものの画像を選択する。ディスプレイ１１上には曲名や再生時間や画像のサムネイル等が表示可能となっている。
【００３９】
例えば、図３（ｂ）に示されるようなサムネイル画像に於いて、図３（ａ）に示されるような音楽に連れて表示されるものを強調表示するようにすれば、風景や人物スナップの適切な切り替えや、どのような写真を撮ればアルバムとしてきれいにまとめられるかがわかる。これにより、ユーザは適切な撮影方法までアドバイスされ、最終的に電子アルバムとして鑑賞に耐えられる作品作りが可能となる。
【００４０】
また、本発明は、図２（ｃ）に示されるように、ユーザ１がメモリ内の音楽データを装置１０で再生して聴きながら、作品のイメージを考えたり、本当に自分に適した音楽を選択することができる。もちろん、カーオーディオでこのメモリ２を再生できるようにすれば、図２（ｄ）に示されるように、ドライブ等の途中に旅行のアルバムのイメージ作りをしたり、最適な曲の選択を行うことができる。
【００４１】
そして、十分に聴いて曲を選択した後、図２（ｅ）に示されるように、実際の撮影に臨めばよい。このとき、どのような角度や大きさで被写体３を画面内に収めれば良いかは、すでに参考としてメモリ２内に画像データが存在するので、初心者はそれに合わせて構図を決めて撮影すればよい。
【００４２】
例えば、図３（ｂ）に示されるようなサムネイル画像３０に於いて、８コマの画像３５1 、３５2 、…、３５8 から成る電子アルバムを、例えば４分の時間で再生することができるようにしたい場合は、次のようにして行われる。尚、サムネイル画像３０に於いて、選択されている画像は、他の画像よりも大きく表示されるものとする。
【００４３】
サムネイル画像３０に於いて、曲名３１と時間３２と、総コマ数３３及び画像３５1 、３５2 、…、３５8 を見ながら、ユーザは予め画像イメージを考えることができる。すなわち、図３（ｃ）に示されるような、その各コマに差し替えるような写真の撮影を行えばよい。
【００４４】
つまり、画像３６1 、３６2 、…、３６8 が予め記録されていたとする。そして、図３（ｄ）に示されるような、画像３６2a 、３６2b、３６2c、３６2dと、３６4a、３６7aが、ユーザが撮影した画像である。ここで、撮影後に、順次図示されないスイッチを操作することにより、予めメモリに記録されていた画像から、差し替える画像を選択決定していく。
【００４５】
例えば、図３（ｃ）に示される画像３５2 に対して画像を差し替える場合、ユーザが撮影した画像３６2a 、３６2b、３６2c、３６2dが、上記スイッチ操作によって切り替えられる。そして、画像３６2dが差し替え画像として選択されると、図３（ｅ）に示されるように、画像３６1 、３６2d、３６3 、…、３６8 として電子アルバムが作成される。この場合、同図に二重の枠により表されている画像３６2d、３６4a、３６7aが、ユーザの撮影によって差し替えられた画像である。
【００４６】
これだけの作業で、図２（ｃ）または（ｄ）に示されるような状況で、よく聴いて選んだ音楽に合った画像による電子アルバムを作成することができる（図３（ｅ）参照）。
【００４７】
ここで、差し替えを行わなかった画像は、抽象的なものでもよいし、観光地に合わせてカスタマイズしたものでもよい。つまり、全画像を差し替えなくとも、満足度の高いアルバムができる点が本発明の特徴でもある。
【００４８】
また、こうして作成されたアルバムの作品を、図２（ｄ）に示されるように、カーナビゲーションシステムのモニタ４で再生しながら帰宅してもよい。ドライブに行くときに聴いた音楽を使って、ドライブでの思い出が画像と共に再現することができる。
【００４９】
図４は、情報記録再生装置１０の裏面に配置されたモニタ部１１に隣接して、各種の操作スイッチ２６を設けた例を示した図である。
【００５０】
図４に於いて、これらの操作スイッチ２６は、例えば、４つの方向キーから構成されて項目選択等を行うための方向キー２６ａと、決定キー２６ｂと、撮影を行う際に撮影モードに切り替える撮影キー２６ｃと、再生画像を表示する際の指示を行う再生キー２６ｄと、上述した画像差し替え等の編集を行うための編集キー２６ｅと、後述する画像を合成する際の指示を行う合成キー２６ｆと、画像を入れ替える際の指示を行う入れ替えキー２６ｇと、モニタ部１１に別の候補を呼び出すための部候補キー２６ｈとで構成される。
【００５１】
次に、図５及び図６のフローチャートを参照して、本実施形態に於ける情報記録再生装置の動作について説明する。
【００５２】
システムの制御動作が開始されると、先ず、ステップＳ１に於いて、音楽再生であるか否かが判定される。この判定は、例えば、図２（ｂ）に示されるようなモニタ部１１を確認することで判定する。ここで、音楽再生である場合はステップＳ２へ移行し、そうでない場合は後述するステップＳ１９へ移行する。
【００５３】
ステップＳ２では、アルバムを作成する時の再生時間が選択される。これは、例えば、図７（ａ）に示されるような、モニタ部１１の表示画面より選択される。ここで、例えば、方向キー２６ａ及び決定キー２６ｂによって「５分」が選択されると、図７（ｂ）に示されるように、「５分」の表示１１ａがなされた画面となる。
【００５４】
次いで、ステップＳ３ではショット数が選択される。これは、例えば、図７（ｂ）に示されるような枚数が表示される。上記ステップＳ２と同様にしてショット数が選択されると、その音楽の演奏の長さやテンポ等によって、図７（ｃ）に示されるように、幾つかの曲目が選択される。
【００５５】
こうして選択された曲目は、ステップＳ４にて第２メモリ１８に記録される。そして、続くステップＳ５に於いて、それに基づいて音楽再生が行われる。
【００５６】
このように音楽再生を楽しみつつ、自分のイメージに合った曲が現れた時に、その旨のスイッチ操作がなされると、ＢＧＭに曲が追加される。すなわち、ステップＳ６にて、現在再生中の曲がＢＧＭに追加されたと判定されればステップＳ７へ移行する。そして、このステップＳ７にて、ＢＧＭの候補とするために再生中の曲が第２メモリ１８に記録される。その後、上記ステップＳ６へ移行する。
【００５７】
尚、ユーザは、候補曲を聴き続けて単に音楽だけを楽しんでもよいし、音楽を聴きながら気分を高めて撮影を行ってもよい。つまり、上記ステップＳ６でＢＧＭに追加がなければ、ステップＳ８に移行して撮影の判定が行われながら音楽の再生が行われる。
【００５８】
ステップＳ８にて撮影が行われる場合は、ステップＳ９へ移行して、上述したように、撮像部２４で撮像された画像が入力されて、圧縮部２５で圧縮された後、ステップＳ１０にて第１メモリ１３に記録される。このとき、ステップＳ１１にて、その時再生していた音楽もＢＧＭとして記録するようにしてもよい。また、ステップＳ１２では、撮影結果がモニタ部１１に表示されて確認できるようにする。その後、ステップＳ１３へ移行する。
【００５９】
ところで、撮影結果は重要な記録であるので、例えば、図２（ｄ）に示されるように、装置から取り外して、すぐにカーオーディオやカーナビゲーションシステムのモニタ４で再生したり、プリントシステムに入力して印刷ができるようにする必要がある。
【００６０】
そのため、撮像された画像は、装置内部の第２メモリ１８ではなく、第１メモリ１３に記録されるようにする。一方、その時の音楽は再生し続けたいので、第１メモリ１３内の再生音楽データは、予め第２メモリ１８に移行して再生されるようにしている。
【００６１】
上記ステップＳ８にて撮影ではない場合、及びステップＳ１２で画像表示がなされた後は、ステップＳ１３にて音楽再生が終了か否かが判定される。ここで、音楽再生が終了する場合は、ステップＳ１８へ移行して、その操作が操作スイッチ１６により行われて、再生終了制御が行われ、本ルーチンが終了する。
【００６２】
一方、上記ステップＳ１３にて音楽再生終了でない場合、或いは、終了せずに次の曲をききたい場合は、ステップＳ１４へ移行する。このステップＳ１４では、現在再生中の曲ではなく次の曲に移行するか否かが判定される。ここで、次の曲に移行する場合は、ステップＳ１５でスキップ動作が行われた後ステップＳ１６へ移行する。また、スキップしない場合は、ステップＳ１４から直接ステップＳ１６へ移行する。
【００６３】
ステップＳ１６では、画像のサムネイル表示の有無が判定される。ユーザが、再生している曲のイメージ画像を見たい場合は、ステップＳ１７へ移行する。このステップＳ１７では、図３（ｂ）に示されるように、モニタ部１１の画面上にアルバムを構成する複数の画像がサムネイル表示される。そして、上記ステップＳ１６でサムネイル表示しない場合とステップＳ１７のサムネイル表示がなされた後は、上記ステップＳ６へ移行する。
【００６４】
このような音楽再生とは別に、単にカメラのように撮影装置として使用する場合は、ステップＳ１９からステップＳ３１、更にはステップＳ３２及びＳ３３の処理動作が実行される。
【００６５】
すなわち、上記ステップＳ１にて音楽再生でないとされた場合は、ステップＳ１９に於いて編集であるか否かが判定される。ここで、編集が行われる場合はステップＳ２０へ移行し、そうでない場合はステップＳ３１へ移行する。
【００６６】
ステップＳ３１では撮影の有無が判定される。ここで、撮影の場合はステップＳ３２及びＳ３３へ移行して、上述したステップＳ９及びＳ１０と同様に、画像入力、及び入力された画像の第１メモリ１３への記録が行われる。その後、上記ステップＳ１へ移行する。一方、上記ステップＳ３１にて撮影でないと判定された場合も上記ステップＳ１へ移行する。
【００６７】
また、上述したように、電子アルバムを構成する音楽データが選択され、撮影画像が集まると編集作業ができるので、上記ステップＳ１９にてユーザにより編集キー２６ｅが操作されれば、編集モードに入る。ここで、ＢＧＭの候補は、上述したステップＳ７またはステップＳ１１にて決定されているので、ステップＳ２０にてこの候補が検索されてモニタ部１１上に表示される。これは、図７（ｃ）に示されるような表示となり、曲の長さや画像切り替えの枚数表示が曲名の表示と共に行われる。ユーザは、この候補曲の表示を見て、希望する曲目を選択すればよい。
【００６８】
ステップＳ２１にて、上記表示から選択再生操作が行われると、続くステップＳ２２にてサムネイル表示が行われる。これは、第１メモリ１３内の図示されないＢＧＭメモリに記録されたＢＧＭ情報によって、第２メモリ１８より再生される曲の進行につれて、図３（ｂ）に示されるような表示が行われる。
【００６９】
ステップＳ２３では、この表示を見ながら、変更したい画像が図３（ｃ）に示されるようにユーザにより選択される（例えば、画像３６2 ）。そして、ステップＳ２４にて、差し替えになる候補画像が、図３（ｄ）に示されるように選択される（例えば、画像３６2d）。
【００７０】
つまり、別候補キー２６ｈの操作によって、第１メモリ１３から撮影された画像が順次表示されるようにし、決定キー２６ｂの操作によって再生画像の変更が行われる。このとき、完全に差し替えが行われるだけでなく、元の画像に追加、合成できるようにしてもよい。
【００７１】
すなわち、ステップＳ２５にて画像が決定された場合は、ステップＳ２６に移行して画像合成の有無が判定される。ここで、画像合成でない場合は、ステップＳ２７へ移行して画像を置き換えるべく入れ替えが行われる。一方、画像合成の場合は、ステップＳ２８へ移行して画像が追加される。また、上記ステップＳ２５にて画像が決定されない場合は、上記ステップＳ２６〜Ｓ２８をスキップしてステップＳ２９へ移行する。
【００７２】
上述した画像合成、追加の切り替えもユーザによって操作可能である。画像追加時には、図３（ｆ）に示されるように、元の画面を生かしながら自分で撮影した画像を合成した画像３７とすることができる。更に加工を加えれば、図８（ａ）、（ｂ）に示されるように、特殊な効果を発揮することができる。
【００７３】
また、合成ではなく画像を入れ替える際には、図３（ｃ）に示されるような再生画面が、図３（ｅ）に示されるような画面になったように、元の画面が自分の撮影画面に差し替えられる。
【００７４】
こうして、電子アルバム再生時の画像切り替え方法が決まると、ステップＳ２９にて、編集終了か否かが判定される。ここで、まだ終了しない場合は、上記ステップＳ２２へ移行して、上述した編集処理が繰り返される。編集終了の場合は、ステップＳ３０へ移行して、編集結果が第１メモリ１３に記録される。その後、本ルーチンが終了する。
【００７５】
このようにして、情報記録再生装置１０から第１メモリ１３を取り出して別の再生装置で楽しんだりすることができるようになる（図２（ｂ）参照）。
【００７６】
以上説明したように、本実施形態によれば、最初から所定のレベルまで完成されたテンプレート式の電子アルバムに対し、自分の作品を入れていくので、簡単な操作で鑑賞に耐える電子アルバムを作成することが可能となる。
【００７７】
以上、本発明の実施形態について説明したが、本発明は上述した実施形態に限定されるものではなく、本発明の要旨を逸脱しない範囲で種々の変形実施が可能であるのは勿論である。
【図面の簡単な説明】
【００７８】
【図１】（ａ）は本発明の一実施形態に係る情報記録再生装置の電気系の概略構成を示すブロック図、（ｂ）は第１メモリ１３の記録内容を説明する図である。
【図２】本発明の一実施形態に係る情報記録再生装置を利用して、電子アルバム作りを前提とした撮影の手順について説明する図である。
【図３】本発明の一実施形態に係る情報記録再生装置を利用した電子アルバム作りについて説明する図である。
【図４】情報記録再生装置１０の裏面に配置されたモニタ部１１及び各種の操作スイッチ２６の例を示した図である。
【図５】本発明の一実施形態に於ける情報記録再生装置の動作について説明するフローチャートである。
【図６】第本発明の一実施形態に於ける情報記録再生装置の動作について説明するフローチャートである。
【図７】モニタ部１１に表示された情報の例を示した図である。
【図８】撮影した画像に特殊効果を加えた例を示した図である。
【符号の説明】
【００７９】
１０…情報記録再生装置、１１…モニタ部、１３…第１メモリ、１３ａ…スロット部、１５…マイクロコントローラ（ＣＰＵ）、１６…読み出し部、１７…画像再生部、１８…第２メモリ、２０…音楽伸長部、２１…音楽再生部、２２…スピーカ、２４…撮像部、２５…圧縮部、２６…操作スイッチ、３０…サムネイル画像。
【図１】
2006129269.tif 000003
【図２】
2006129269.tif 000004
【図３】
2006129269.tif 000005
【図４】
2006129269.tif 000006
【図５】
2006129269.tif 000007
【図６】
2006129269.tif 000008
【図７】
2006129269.tif 000009
【図８】
2006129269.tif 000010